(57)【特許請求の範囲】
【請求項１】
少なくとも吸収性生地及び非透水性シートを積層してなる吸水パッド部が、前記非透水性シートを下着の股部内側に対向させた状態で配設される失禁用下着において、
前記吸水パッド部の外周縁近傍における全周に亘って線状又は帯状に、且つ前記吸収性生地側の表面から非透水性シートに達するまで、樹脂材を含浸させ、当該含浸させた線状又は帯状の樹脂材を前記非透水性シートと水密状態に一体固化させて止水部を形成すると共に、吸収性生地と非透水性シートを一体化し、
前記吸水パッド部が、前記止水部の外側となる端部で前記下着に取付けられることを
特徴とする失禁用下着。
【請求項２】
前記請求項１に記載の失禁用下着において、
前記吸水パッド部が、前記下着の股部内側に縫着されることを
特徴とする失禁用下着。
【請求項３】
前記請求項１に記載の失禁用下着において、
前記吸水パッド部が、前記下着の股部内側に面ファスナで着脱自在に配設されることを
特徴とする失禁用下着。
【請求項４】
前記請求項１ないし３のいずれかに記載の失禁用下着において、
前記樹脂材が、熱硬化性樹脂であり、加熱状態で加圧して前記非透水性シートと一体化させることを
特徴とする失禁用下着。
【請求項５】
前記請求項１ないし３のいずれかに記載の失禁用下着において、
前記樹脂材が、水性ウレタン樹脂を少なくとも含み、乾燥凝固後耐水性となる水性ウレタン樹脂系接着剤であることを
特徴とする失禁用下着。
【請求項６】
前記請求項５に記載の失禁用下着において、
前記樹脂材が、水性ウレタン樹脂を少なくとも重量比で３０％以上７０％以下含むと共に、イソプレンゴムラテックスを２８．８ないし６８．８％、加硫分散体液を０．２ないし１．０％、水溶性顔料を１．０ないし２．０％、及び水を０ないし１０％それぞれ含んでなることを
特徴とする失禁用下着。
【発明の詳細な説明】
【０００１】
【発明の属する技術分野】
本発明は、下着の股部内側に配設されるパッド部で尿失禁時に尿を吸収する失禁用下着に関し、特に尿を吸収したパッド部から下着表面への滲み出しを防止した失禁用下着に関する。
【０００２】
【従来の技術】
従来、この種の失禁用下着として特開平８−２８０７２６号公報及び特開平１０−６０７０３号公報等に開示されるものがあり、これらを図７及び図８に示す。図７に示す従来の失禁用下着は、パンツ１３０の内部に吊り下げ用生地１２０を介して設けてあり、着用者の肌に直接接する側から順にネット状生地１０３、吸収性生地１０４、消臭吸水性部材１０５、ラミネート生地１０６を適宜形状に裁断し、その周縁をネット状生地１０３の一側縁を除いて撥水性テープ生地１０７で巻回し、この撥水性テープ生地１０７の上を縫着部１２５により縫着一体化して形成してある。このネット状生地１０３の一側縁（上端部）には、開口部１０８を設けて袋状部を形成してあり、この開口部１０８を介して着用者の排尿が通常多量の場合は、市販の吸水性パッド部材或いは紙、不織布、布地等の追加吸収性部材１１０を挿入して使用することができる。
【０００３】
このように、失禁用パンツを着用中に排尿し、尿が吸収性部材等に吸収された際、撥水性テープ生地１０７によい、その周縁から外部に水分が滲み出すのが防止され、且つ吊り下げ用生地１２０を介して失禁用部材が宙吊り状に保持されているので、パンツ自体の身生地を濡らすことがなく、着用感の良好な失禁用パンツが得られるのである。また、ネット状生地１０３の一側縁の開口部１０８を設けて袋状部を形成してあるので、同袋状部内に市販の吸水性パッド部材或いは紙、不織布、布地等の追加吸収性部材１１０を挿入して使用することができ、更に吊り下げ用生地１２０をパンツ側に着脱自在に設けることにより、失禁用部材を容易に新しいものと取り替えることができ、洗濯等も容易に行うことができる。
【０００４】
一方、前記図８に示す従来の他の失禁用下着は、ネット状生地２２５、吸収性生地２２６、消臭吸水性部材２２７及びラミネート生地２２８を順次積層し、これらの積層された生地や部材の周縁を撥水処理加工されたラッパ状の撥水性テープ生地２２１、２２４で巻回し、包囲して失禁用部材２２０を形成し、且つ前記ラミネート生地２２８を身生地側に配置すると共に、失禁用部材２２０前身側及び後身側に周縁を身生地２０７と共に縫着部２３０、２３１により一体的に縫着して構成したことにより、失禁時の尿を完全に吸収すると共に、尿の滲み出しを防止し、良好な着用感が得られる。
【０００５】
【発明が解決しようとする課題】
従来の失禁用下着は以上のように各々構成されていたことから、従来前者の場合、失禁用部材が吸収性生地１０４を縫着部１２５により吊り下げ用生地１２０を介して、又は直接にパンツ１３０自体に滲み出すという課題を有する。
また、従来後者の場合、吸収性生地２２６の周縁を撥水性テープ生地２２１、２２４で巻回して縫着部２３０、２３１で縫着する構成としていることから、この吸収性生地２２６と撥水性テープ生地２２１、２２４との隙間から尿が漏れ出るという課題を有する。
【０００６】
本発明は、前記課題を解消するためになされたもので、失禁による尿を吸水した吸水性パッド部材から尿が滲み出すこと及び漏れ出すことを確実に防止でき、且つ構造が簡略で製造が簡易な失禁用下着を提供することを目的とする。
【０００７】
【課題を解決するための手段】
本発明に係る失禁用下着は、少なくとも吸収性生地及び非透水性シートを積層してなる吸水パッド部が、前記非透水性シートを下着の股部内側に対向させた状態で配設される失禁用下着において、前記吸水パッド部の外周縁近傍における全周に亘って線状又は帯状に、且つ前記吸収性生地側の表面から非透水性シートに達するまで、樹脂材を含浸させ、当該含浸させた線状又は帯状の樹脂材を前記非透水性シートと水密状態に一体固化させて止水部を形成すると共に、吸収性生地と非透水性シートを一体化し、前記吸水パッド部が、前記止水部の外側となる端部で前記下着に取付けられるものである。このように本発明においては、吸水パッド部の外周における吸収性生地に含浸させた樹脂材をこの吸収性生地に積層された非透水性シートと水密状態で一体固化し、この吸水パッド部を下着の股部内側に配設するようにしているので、吸水パッド部の端面から吸水した尿が漏れ出ることを確実に防止できると共に、吸水パッド部を簡易に製造できる。
【０００８】
また、本発明に係る失禁用下着は必要に応じて、吸水パッド部が、前記下着の股部内側に縫着されるものである。このように本発明においては、一体固化された樹脂材の外側における吸水パッド部の端部を下着股部内側に縫着するようにしているので、吸水パッド部の吸収性生地のうち尿を吸水する領域と尿を吸収しない領域とを一体固化した樹脂材で区画し、この尿を吸収しない領域を下着に縫着できることとなり、尿を吸水した吸収性生地から縫着の孔及び糸を介して尿が滲み出ることを確実に防止できる。
【０００９】
また、本発明に係る失禁用下着は必要に応じて、吸水パッド部が、前記下着の股部内側に面ファスナで着脱自在に配設されるものである。このように本発明においては、吸水パッド部を下着股部内側に面ファスナで着脱自在に配設しているので、失禁による尿を吸収した吸水パッド部のみを洗濯できることとなり、スペアの吸水パッド部の利用により利便性を向上させることができる。
【００１０】
また、本発明に係る失禁用下着は必要に応じて、樹脂材が、熱硬化性樹脂であり、加熱状態で加圧して前記非透水性シートと一体化させるものである。このように本発明においては、熱硬化性樹脂を吸収性生地に含浸させ非透水性シートに加熱状態で加圧して一体化させるようにしているので、含浸のための塗布工程及び一体固化のための加熱加圧工程のみで製作できることとなり、簡易且つ迅速に製造できる。
【００１１】
また、本発明に係る失禁用下着は必要に応じて、前記樹脂材が、水性ウレタン樹脂を少なくとも含み、乾燥凝固後耐水性となる水性ウレタン樹脂系接着剤であるものである。このように本発明においては、樹脂材として水性ウレタン樹脂系接着剤を用い、樹脂材を含浸させた後そのまま乾燥、凝固させると止水部が形成されることにより、止水部が加熱状態で加圧して形成されない分、止水部と吸水パッドの他部分との間に段差ができない上、硬くなり過ぎず、着用時に違和感がないことに加え、樹脂材の塗布、含浸後、加熱しつつ加圧を行う手間が省け、作業工程を簡略化できる。さらに、止水部を形成する水性ウレタン樹脂を中心とする樹脂材は有機溶媒等の有害化学物質を含まず、製造過程や製造後において有害化学物質の揮発など周囲環境に対する悪影響が少なく、且つ着用者の皮膚への刺激も少なく、安全である。
【００１２】
また、本発明に係る失禁用下着は必要に応じて、前記樹脂材が、水性ウレタン樹脂を少なくとも重量比で３０％以上７０％以下含むと共に、イソプレンゴムラテックスを２８．８ないし６８．８％、加硫分散体液を０．２ないし１．０％、水溶性顔料を１．０ないし２．０％、及び水を０ないし１０％それぞれ含んでなるものである。このように本発明においては、樹脂材として水性ウレタン樹脂と共にイソプレンゴムラテックスや加硫分散体液等をそれぞれ所定割合で含んだものを用い、水性ウレタン樹脂と共にイソプレンゴムが止水部の主要材質をなすことにより、イソプレンゴムは天然ゴムとほぼ同じ分子構造を有して優れた機械的強度と弾性を備え、着用時の様々な動きや摩擦に耐えて水密性を維持可能である一方で、天然ゴムと異なり不純物を含まず、人体に対しアトピー等の原因となる刺激を与えない。
【００１３】
【発明の実施の形態】
（本発明の第１の実施形態）
以下、本発明の第１の実施形態に係る失禁用下着を図１ないし図４に基づいて説明する。図１は本実施形態に係る失禁用下着の全体構成図、図２は本実施形態に係る失禁用下着の要部拡大図、図３は図２のＡ−Ａ断面図、図４は本実施形態に係る失禁用下着の製造過程説明図である。
【００１４】
前記各図において本実施形態に係る失禁用下着は、ウレタン素材からなる非透水性シート１１、吸収性生地１２及び保護生地１３を積層し、この吸収性生地１２及び保護生地１３の外周縁全周に亘って帯状にウレタン樹脂１４ａを含浸させ、このウレタン樹脂１４ａを加熱状態で加圧することにより止水部１４として非透水性シート１１と一体固化して吸水パッド１を形成し、この吸水パッド１をパンツ２における股部２３の内側に前記非透水性シート１１を対向させて縫着部３により縫着される構成である。
【００１５】
前記非透水性シート１１は、ウレタン素材以外に、非透水性で且つ柔軟性を有するフィルム素材、例えばポリエチレン、ポリプロピレン、ポリスチレン等で形成することもできる。前記吸収性生地１２は、天然繊維又は合成繊維等による不織布、メリヤス生地等の吸水性且つ保水性を有する素材で形成される。この吸収性生地１２には、吸水性且つ保水性の素材に加え、消臭性素材、抗菌性素材を含有させることもできる。この消臭性素材としては、活性炭、消臭成分（ノネナール）等があり、また抗菌性素材としては、亜鉛イオン、銅イオン、銀イオン等を含有する亜鉛化合物、銅化合物、銀化合物がある。
【００１６】
前記保護生地１３は、天然繊維又は合成繊維により編織成されたネット状生地又はエンボス生地で形成される。また、この保護生地１３は、生地表面側から下層の吸収性生地１２側への透水性を大とし、吸収性生地１２側から保護生地１３側への透水性を小とする機能素材により形成することもできる。
前記止水部１４は、ウレタン樹脂１４ａ以外に、熱硬化性樹脂としてメラミン系樹脂、ポリエステル、エポキシ樹脂、フラン樹脂、ポリウレタン等で形成することもできる。また、この止水部１４は、熱硬化性樹脂以外に、前記吸収性生地１２及び保護生地１３に任意の第１の樹脂材を含浸させた後に他の溶液を前記第１の樹脂材に加えることにより固化する形成とすることもできる。
【００１７】
次に前記構成に基づく本実施形態に係る失禁用下着の製造工程及び吸収状態について説明する。まず、パンツ２の股部２３に適合する形状に非透水性シート１１、吸収性生地１２及び保護生地１３を裁断し（図４（Ａ）を参照）、この裁断された吸収性生地１２及び保護生地１３の外周近傍の全周に亘ってウレタン樹脂１４ａを塗布して帯状に含浸させる（図４（Ｂ）を参照）。
このウレタン樹脂１４ａを含浸させた帯状の部分を加熱状態で所定の押圧力Ｐにより非透水性シート１１、吸収性生地１２及び保護生地１３を押圧して（図４（Ｃ）を参照）、このウレタン樹脂１４ａを固化させて止水部１４を形成し、この止水部１４により吸収性生地１２及び保護生地１３が非透水性シート１１と水密状態に一体化して吸水パッド１を形成する。この吸水パッド１をパンツ２の股部２３上に載置し、吸水パッド１の端部と止水部１４との間を縫い合わせて縫着部３により吸水パッド１をパンツ２に取付ける（図４（Ｄ）を参照）。
【００１８】
このように製作された本実施形態に係る失禁用下着は、失禁の際に尿が保護生地１３を介して吸収性生地１２に急速に吸収されて保水されると共に、この保水された尿が外周縁部分の全周に亘って形成される止水部１４により側方外部へ漏れ出及び滲み出ることが防止される。特に、裏面側の吸水パッド１へは非透水性シート１１により完全に防水状態で遮蔽され、この止水部１４の外側で縫着部３により吸水パッド１がパンツ２に固着されていることから縫着部３から吸水パッド１へ尿が滲み出すこともない。
【００１９】
（本発明の第２の実施形態）
本発明の第２の実施形態に係る失禁用下着を図５に基づいて説明する。図５は本実施形態に係る失禁用下着の製造過程説明図である。
前記図５において本実施形態に係る失禁用下着は、前記第１の実施形態同様、吸水パッド１をパンツ２の股部２３内側に縫着して形成される構成であり、異なる点として、吸水パッド１をなす、積層された非透水性シート１１、吸収性生地１２、及び保護生地１３のうち、吸収性生地１２及び保護生地１３の外周縁全周に亘って帯状に含浸される樹脂材として、水性ウレタン樹脂を主成分とする接着剤を用い、この接着剤を加熱状態での加圧を経ずに止水部１４として非透水性シート１１と一体固化させる構成を有するものである。
【００２０】
前記樹脂材は、主成分の水性ウレタン樹脂を少なくとも重量比で３０％以上７０％以下含む一方、残り成分のほとんどを占める割合でイソプレンゴムラテックスを含み、その他、イソプレンゴムラテックスを架橋させるための加硫分散体液や、着色用の水溶性顔料をわずかに含み、また、必要に応じて水を少量添加される液状の接着剤となっており、吸水パッド１への塗布、含浸後、乾燥させて水分を揮発させ、凝固させると、非透水性シート１１と一体化した耐水性の止水部１４となる。
この樹脂材をなす水性ウレタン樹脂以外の上記各成分の配合割合は、重量比でイソプレンゴムラテックスが約３０ないし約７０％、加硫分散体液が０．２ないし１．０％、水溶性顔料が１．０ないし２．０％、及び水が０ないし１０％とされるのが望ましい。
【００２１】
次に、前記構成に基づく本実施形態に係る失禁用下着の製造過程及び尿漏れ防止状態について説明する。まず、前記第１の実施形態同様、パンツ２の股部２３に適合する形状に裁断した非透水性シート１１、吸収性生地１２及び保護生地１３を積層し、この積層状態の吸収性生地１２及び保護生地１３の外周全周について、外周端部から所定寸法内方の位置に前記配合の樹脂材を所定幅の帯状に塗布し、含浸させる（図５（Ｂ）参照）。
【００２２】
樹脂材を含浸させた後、積層状態の各生地を所定温度で一定時間放置して樹脂材を乾燥、凝固させ、耐水性の止水部１４を形成する。樹脂材の主成分をなす水性ウレタン樹脂はイソプレンゴムラテックスに対し約２０分程度で強い膜を形成して接着力を発揮することができ、吸水パッド１製作の作業工程を簡略化できる。
止水部１４の形成により、吸収性生地１２及び保護生地１３が非透水性シート１１と水密に一体化して吸水パッド１を構成することとなる。この吸水パッド１端部をパンツ２に縫着して吸水パッド１をパンツ２と一体化すれば（図５（Ｃ）参照）、失禁用下着として完成する。
【００２３】
こうして得られた失禁用下着においては、一旦吸収された尿は吸水パッド１外周縁部分の全周に亘って形成される止水部１４により側方への漏れ出し及び滲み出しを防止されると共に、外方へも非透水性シート１１により完全に遮断される。吸水パッド１は止水部１４より外周端側でパンツ２に縫着されており、この縫着した縫着部３からパンツ２側へ尿が滲み出すこともない。また、止水部１４は、加熱状態で加圧していないために吸水パッド１の他部分との間に段差ができない上、硬くなり過ぎず、着用時に違和感がない。
【００２４】
止水部１４を形成する水性ウレタン樹脂を中心とする樹脂材は有害化学物質を含まず、製造過程や製造後において有害化学物質の揮発など周囲環境に対する悪影響が少なく、且つ着用者の皮膚への刺激も少なく、安全である。さらに、水性ウレタン樹脂と共に止水部１４を構成するイソプレンゴムは天然ゴムとほぼ同じ分子構造を有して優れた機械的強度（耐引裂き性、耐屈曲性）と弾性を備える一方で、天然ゴムと異なりタンパク質等の不純物を含まず、人体に対しアトピー等の原因となる刺激を与えない。
【００２５】
このように、本実施形態に係る失禁用下着は、樹脂材として水性ウレタン樹脂系接着剤を用い、樹脂材を含浸させた後そのまま乾燥、凝固させると止水部１４が形成されることから、止水部１４が加熱状態で加圧して形成されない分、止水部１４と吸水パッド１の他部分との間に段差ができない上、硬くなり過ぎず、着用時に違和感がなく着用感に優れることに加え、樹脂材の塗布、含浸後、加熱しつつ加圧を行う手間が省け、作業工程を簡略化できる。
【００２６】
（本発明の他の実施形態）
本実施形態に係る失禁用下着は、吸水パッド１をパンツ２に縫着する構成としたが、吸水パッド１のパンツ２内側への取付けを面ファスナ、ボタン等を用いた着脱自在の構造とすることもできる。
前記実施形態に係る失禁用下着は、吸水パッド１の非透水性シート１１に止水部１４を加熱加圧により一体化する構成としたが、非透水性シート１１と吸収性生地１２との間に接着材を塗布することなく、所定の温度に加熱して非透水性シート１１を融着により吸収性生地１２と一体化することもできる。
【００２７】
なお、前記第１の実施形態に係る吸水パッド１を止水部１４の外側と外周端縁の間を縫着部３でパンツ２に縫着係止する構成としたが、前記吸水パッド１の止水部１４上を縫着部３で縫着係止する構成とすることもできる。また、この止水部１４は吸水パッド１の所定内側領域から外周端縁までウレタン樹脂等を含浸させて形成することもできる。
【００２８】
また、前記第１の実施形態に係る失禁用下着において、吸水パッド１の樹脂材含浸部分を幅方向については一様に押圧して平らな止水部１４を得る構成としているが、これに限らず、図６に示すように、樹脂材含浸部分の幅方向で複数押圧状態を異ならせつつプレスし、横断面が凹凸状となる止水部１４を得る構成とすることもできる。
【００２９】
さらに、前記第１及び第２の各実施形態に係る失禁用下着においては、吸水パッド１の吸収性生地１２と保護生地１３をそれぞれ別の生地として非透水性シート１１と共に積層、一体化する構成としているが、これに限らず、吸収性生地１２及び保護生地１３として、各層ごとに性状の異なる複数層構造の編組織を有する一枚の生地を用いる構成とすることもでき、吸収性生地１２や保護生地１３の機能を一枚の生地で実現して吸水パッド１の構造を簡略化でき、製造も容易となる。
【００３０】
【発明の効果】
以上のように本発明によれば、吸水パッド部の外周における吸収性生地に含浸させた樹脂材をこの吸収性生地に積層された非透水性シートと水密状態で一体固化し、この吸水パッド部を下着の股部内側に配設するようにしているので、吸水パッド部の端面から吸水した尿が漏れ出ることを確実に防止できると共に、吸水パッド部を簡易に製造できるという効果を奏する。
【００３１】
また、本発明によれば、一体固化された樹脂材の外側における吸水パッド部の端部を下着股部内側に縫着するようにしているので、吸水パッド部の吸収性生地のうち尿を吸水する領域と尿を吸収しない領域とを一体固化した樹脂材で区画し、この尿を吸収しない領域を下着に縫着できることとなり、尿を吸水した吸収性生地から縫着の孔及び糸を介して尿が滲み出ることを確実に防止できるという効果を有する。
【００３２】
また、本発明によれば、吸水パッド部を下着股部内側に面ファスナで着脱自在に配設しているので、失禁による尿を吸収した吸水パッド部のみを洗濯できることとなり、スペアの吸水パッド部の利用により利便性を向上させることができるという効果を有する。
【００３３】
また、本発明によれば、熱硬化性樹脂を吸収性生地に含浸させ非透水性シートに加熱状態で加圧して一体化させるようにしているので、含浸のための塗布工程及び一体固化のための加熱加圧工程のみで製作できることとなり、簡易且つ迅速に製造できるという効果を有する。
【００３４】
また、本発明によれば、樹脂材として水性ウレタン樹脂系接着剤を用い、樹脂材を含浸させた後そのまま乾燥、凝固させると止水部が形成されることにより、止水部が加熱状態で加圧して形成されない分、止水部と吸水パッドの他部分との間に段差ができない上、硬くなり過ぎず、着用時に違和感がないことに加え、樹脂材の塗布、含浸後、加熱しつつ加圧を行う手間が省け、作業工程を簡略化できるという効果を有する。さらに、止水部を形成する水性ウレタン樹脂を中心とする樹脂材は有機溶媒等の有害化学物質を含まず、製造過程や製造後において有害化学物質の揮発など周囲環境に対する悪影響が少なく、且つ着用者の皮膚への刺激も少なく、安全であるという効果を有する。
【００３５】
さらに、本発明によれば、樹脂材として水性ウレタン樹脂と共にイソプレンゴムラテックスや加硫分散体液等をそれぞれ所定割合で含んだものを用い、水性ウレタン樹脂と共にイソプレンゴムが止水部の主要材質をなすことにより、イソプレンゴムは天然ゴムとほぼ同じ分子構造を有して優れた機械的強度と弾性を備え、着用時の様々な動きや摩擦に耐えて水密性を維持可能である一方で、天然ゴムと異なり不純物を含まず、人体に対しアトピー等の原因となる刺激を与えないという効果を有する。
【図面の簡単な説明】
【図１】本発明の第１の実施形態に係る失禁用下着の全体構成図である。
【図２】本発明の第１の実施形態に係る失禁用下着の要部拡大図である。
【図３】図２のＡ−Ａ断面図である。
【図４】本発明の第１の実施形態に係る失禁用下着の製造過程説明図である。
【図５】本発明の第２の実施形態に係る失禁用下着の製造過程説明図である。
【図６】本発明の他の実施形態に係る失禁用下着における吸水パッド部の製造過程説明図である。
【図７】従来の失禁用下着の全体構成図及び要部断面図である。
【図８】従来の失禁用下着の全体構成図及び要部断面図である。
【符号の説明】
１          吸水パッド
２、１３０  パンツ
３、１２５、２３０、２３１  縫着部
１１        非透水性シート
１２、１０４、２２６        吸収性生地
１３        保護生地
１４        止水部
１４ａ      ウレタン樹脂
２３        股部
１０３、２２５  ネット状生地
１０５、２２７  消臭吸水性部材
１０６、２２８  ラミネート生地
１０７、２２１、２２４      撥水性テープ生地
１０８      開口部
１１０      追加吸収性部材
１２０      吊り下げ用生地
２０７      身生地
２２０      失禁用部材
【図１】
0003967961.tif 000002
【図２】
0003967961.tif 000003
【図３】
0003967961.tif 000004
【図４】
0003967961.tif 000005
【図５】
0003967961.tif 000006
【図６】
0003967961.tif 000007
【図７】
0003967961.tif 000008
【図８】
0003967961.tif 000009